(57)【要約】【課題】本発明は、時短モードを設定するために端子が増加することを抑制でき、時短モードを設定した場合に各検出機能のテストが可能となる保護回路及び時短制御方法を提供することを目的とする。【解決手段】モード制御部２７は、ＶＤＤ端子と過電流検出端子の電圧を監視する通常モードＭＤ４と、過充電、過放電、過電流の検出のための所定の遅延時間を短縮した時短モードＭＤ１，ＭＤ２と、前記通常モードで異常検出時に充電電流又は放電電流を停止させる信号を出力する保護モードＭＤ３，ＭＤ５，ＭＤ６，ＭＤ７，ＭＤ８とを管理し、ＶＤＤ端子の電圧が第１の所定値を超えたときに通常モードから時短モードに遷移し、前記過充電、過放電、過電流のいずれを検出しても時短モードから保護モードに遷移する。【選択図】      図３
2014171355.tif 000002
【特許請求の範囲】
【請求項１】
二次電池の充放電制御を行う充放電制御回路であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部は、
前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過充電、前記過放電、前記過電流のいずれを検出しても前記時短モードから前記保護モードに遷移できることを特徴とする充放電制御回路。
【請求項２】
前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移することを特徴とする請求項１に記載の充放電制御回路。
【請求項３】
二次電池の充放電制御を行う充放電制御回路であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部は、
前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過充電、前記過放電のいずれを検出しても前記時短モードから前記保護モードに遷移できることを特徴とする充放電制御回路。
【請求項４】
前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移することを特徴とする請求項３に記載の充放電制御回路。
【請求項５】
二次電池の充放電制御を行う充放電制御回路の充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過充電、前記過放電、前記過電流のいずれを検出しても前記時短モードから前記保護モードに遷移できることを特徴とする充放電制御方法。
【請求項６】
前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移することを特徴とする請求項５に記載の充放電制御方法。
【請求項７】
二次電池の充放電制御を行う充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過充電、前記過放電のいずれを検出しても前記時短モードから前記保護モードに遷移できることを特徴とする充放電制御方法。
【請求項８】
前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移することを特徴とする請求項７に記載の充放電制御方法。
【発明の詳細な説明】
【技術分野】
【０００１】
本発明は、二次電池の充放電制御を行う充放電制御回路及び充放電制御方法に関する。
【背景技術】
【０００２】
近年、二次電池としてリチウムイオン電池がデジタルカメラなど携帯機器に搭載されている。リチウムイオン電池は過充電電圧及び過放電電圧に弱いため、過充電電圧及び過放電電圧の保護回路つまり充放電制御回路を備えた電池パックの形態で使用される。
【０００３】
保護回路を半導体集積回路化した保護ＩＣは、過充電電圧検出回路、過放電電圧検出回路、充電過電流検出回路、放電過電流検出回路等を内蔵しており、過放電電圧検出回路或いは放電過電流検出回路で過放電電圧或いは放電過電流を検出したとき放電停止用ＭＯＳトランジスタを遮断してリチウムイオン電池の放電を停止し、また、過充電電圧検出回路或いは充電過電流検出回路で過充電電圧或いは充電過電流を検出したとき充電停止用ＭＯＳトランジスタを遮断してリチウムイオン電池の充電を停止する。
【０００４】
上記の過充電電圧検出回路、過放電電圧検出回路、過電流検出回路においては、それぞれの検出時間を計時し、検出時間がそれぞれに設定された遅延時間（所定時間）を超えた場合に、過充電電圧検出、過放電電圧検出、充電過電流検出、放電過電流検出を確定させて、ＭＯＳトランジスタの遮断を行うことで誤動作を防止している。つまり、過充電電圧検出、過放電電圧検出、充電過電流検出、放電過電流検出が確定するまでに所定時間を要する。
【０００５】
しかし、製造時に保護ＩＣの試験を行う場合には、上記過充電電圧検出、過放電電圧検出、過電流検出それぞれに遅延時間を要するために、試験時間が長くなるという問題がある。このため、試験時には保護ＩＣに時短モードを設定して上記遅延時間を短縮（又はなし）とすることが行われている。
【０００６】
ところで、充放電制御回路の電源端子と電源検出端子間に規定以上の電圧がかかったことを検出する電圧検出回路を設け、電圧検出回路の検出信号によって内部制御回路の遅延時間を短くする構成とした技術が提案されている（例えば特許文献１参照）。
【先行技術文献】
【特許文献】
【０００７】
【特許文献１】特開２００７−１９５３０３号公報
【発明の概要】
【発明が解決しようとする課題】
【０００８】
従来の保護ＩＣでは、テストモード端子（時短モード端子）を設け、テストモード端子の入力レベルをハイレベル（ＶＤＤ）、ローレベル（ＶＳＳ）のいずれかに設定することで、通常の遅延時間の通常モード，遅延時間短縮モード（時短モード）を設定している。しかし、この場合はモード端子を追加する必要であり、その分だけコストアップが生じる。
【０００９】
また、他の従来の保護ＩＣでは、例えば電源端子に通常供給される電源電圧ＶＤＤより高い閾値ＶＴＨを設定し、電源端子の電圧が閾値ＶＴＨより高い期間は遅延時間を短縮する時短モードとし、電源端子の電圧が閾値ＶＴＨより低い場合は通常の遅延時間の通常モードとするものがある。この場合はモード端子を追加する必要はないが、電源端子の電圧が電源電圧ＶＤＤより高い閾値ＶＴＨを超えた期間では、リチウムイオン電池が過充電電圧状態である。このため、遅延時間短縮モードを設定しても過充電電圧検出回路の機能をテストすることができないという問題があった。
【００１０】
本発明は、上記の点に鑑みなされたものであり、時短モードを設定するために端子が増加することを抑制でき、時短モードを設定した場合に各検出機能のテストが可能となる充放電制御回路及び充放電制御方法を提供することを目的とする。
【課題を解決するための手段】
【００１１】
本発明の一実施態様による充放電制御回路は、二次電池（１１）の充放電制御を行う充放電制御回路であって、
前記充放電制御回路は、
前記二次電池から電源を供給されるＶＤＤ端子（１０ａ）と、
前記二次電池の過電流を検出するための過電流検出端子（１０ｃ）と、
過充電、過放電、過電流の検出のための所定の遅延時間を設定した異常検出部（２１〜２５）と、
複数の動作モードを制御するモード制御部（２７）とを有し、
前記モード制御部は、
前記ＶＤＤ端子と前記過電流検出端子の電圧を監視する通常モード（ＭＤ４）と、前記異常検出部における前記過充電、前記過放電、前記過電流の検出のための所定の遅延時間を短縮した時短モード（ＭＤ１，ＭＤ２）と、前記通常モードで前記異常検出部による異常検出時に充電電流又は放電電流を停止させる信号を出力する保護モード（ＭＤ３，ＭＤ５，ＭＤ６，ＭＤ７，ＭＤ８）とを管理し、
前記ＶＤＤ端子の電圧が第１の所定値を超えたときに前記通常モードから前記時短モードに遷移し、
前記過充電、前記過放電、前記過電流のいずれを検出しても前記時短モードから前記保護モードに遷移できる。
【００１２】
好ましくは、前記保護モードは、前記所定の遅延時間で過充電を検出した過充電保護モード（ＭＤ３）を有し、
前記時短モードは、前記ＶＤＤ端子と前記過電流検出端子の電圧を監視する時短監視モード（ＭＤ２）と、前記過充電を検出したときに前記充電電流を停止させる信号を出力する時短過充電保護モード（ＭＤ１）を有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移する。
【００１３】
本発明の他の一実施態様による充放電制御回路は、二次電池（１１）の充放電制御を行う充放電制御回路であって、
前記充放電制御回路は、
前記二次電池から電源を供給されるＶＤＤ端子（１０ａ）と、
前記二次電池の過電流を検出するための過電流検出端子（１０ｃ）と、
過充電、過放電、過電流の検出のための所定の遅延時間を設定した異常検出部（２１〜２５）と、
複数の動作モードを制御するモード制御部（２７）とを有し、
前記モード制御部は、
前記ＶＤＤ端子と前記過電流検出端子の電圧を監視する通常モード（ＭＤ１４）と、前記異常検出部における前記過充電、前記過放電、前記過電流の検出のための所定の遅延時間を短縮した時短モード（ＭＤ１１，ＭＤ１２）と、前記通常モードで前記異常検出部による異常検出時に充電電流又は放電電流を停止させる信号を出力する保護モード（ＭＤ１３，ＭＤ１５，ＭＤ１６，ＭＤ１７，ＭＤ１８）とを管理し、
前記過電流検出端子の電圧が第３の所定値未満のときに前記通常モード（ＭＤ１４）から前記時短モードに遷移し、
前記過充電、前記過放電、前記過電流のいずれを検出しても前記時短モードから前記保護モードに遷移できる。
【００１４】
好ましくは、前記保護モードは、前記所定の遅延時間で充電過電流を検出した充電過電流保護モード（ＭＤ１６）を有し、
前記時短モードは、前記ＶＤＤ端子と前記過電流検出端子の電圧を監視する時短監視モード（ＭＤ１２）と、前記充電過電流を検出したときに前記充電電流を停止させる信号を出力する時短充電過電流保護モード（ＭＤ１１）を有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移する。
【００１５】
本発明の一実施態様による充放電制御方法は、二次電池の充放電制御を行う充放電制御回路の充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過充電、前記過放電、前記過電流のいずれを検出しても前記時短モードから前記保護モードに遷移できる。
【００１６】
好ましくは、前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移する。
【００１７】
本発明の他の一実施態様による充放電制御方法は、二次電池の充放電制御を行う充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過充電、前記過放電のいずれを検出しても前記時短モードから前記保護モードに遷移できる。
【００１８】
好ましくは、前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移する。
【００１９】
なお、上記括弧内の参照符号は、理解を容易にするために付したものであり、一例にすぎず、図示の態様に限定されるものではない。
【発明の効果】
【００２０】
本発明によれば、時短モードを設定するために端子が増加することを抑制でき、時短モードを設定した場合に各検出回路の機能のテストが可能となる。
【図面の簡単な説明】
【００２１】
【図１】本発明の充放電制御回路の一実施形態のブロック図である。
【図２】時短回路の一実施形態の回路構成図である。
【図３】保護ＩＣの一実施形態における状態遷移図である。
【図４】保護ＩＣの変形例における状態遷移図である。
【発明を実施するための形態】
【００２２】
以下、図面に基づいて本発明の実施形態について説明する。
【００２３】
＜保護ＩＣの実施形態＞
図１は、本発明の充放電制御回路の一実施形態のブロック図を示す。図１において、充放電制御回路は半導体集積回路化されて保護ＩＣ１０とされている。保護ＩＣ１０の外部には、二次電池であるリチウムイオン電池の電池セル１１と並列に抵抗Ｒ１とコンデンサＣ１で構成されたフィルタ回路が接続されている。電池セル１１の正極（＋Ｂ）は配線により、電池セル及び保護ＩＣを収納する電池パックの外部端子Ｐ＋に接続され、電池セル１１の負極（−Ｂ）は配線により電流遮断用のｎチャネルＭＯＳトランジスタＭ１，Ｍ２を介して電池パックの外部端子Ｐ−に接続されている。
【００２４】
ＭＯＳトランジスタＭ１，Ｍ２はドレインを共通接続され、ＭＯＳトランジスタＭ１のソースは電池セル１１の負極に接続され、ＭＯＳトランジスタＭ２のソースは電池パックの外部端子Ｐ−に接続されている。
【００２５】
保護ＩＣ１０は電池セル１１の正極から抵抗Ｒ１を通して電源ＶＤＤを端子１０ａに供給されると共に、電池セル１１の負極から電源ＶＳＳを端子１０ｂに供給されて動作する。なお、電池セル１１から端子１０ａに供給される電源ＶＤＤは過充電検出電圧以下の値である。
【００２６】
また、保護ＩＣ１０は端子１０ｃに抵抗Ｒ２の一端を接続され抵抗Ｒ２の他端は外部端子Ｐ−に接続されており、端子１０ｂに電圧−Ｖを供給されている。なお、抵抗Ｒ２は充電器を逆接続した際の保護抵抗である。保護ＩＣ１０のＤＯＵＴ出力用の端子１０ｄはＭＯＳトランジスタＭ１のゲートに接続され、ＣＯＵＴ出力用の端子１０ｅはＭＯＳトランジスタＭ２のゲートに接続されている。ＭＯＳトランジスタＭ１は放電を停止するときに保護ＩＣ１０からオフとされ、ＭＯＳトランジスタＭ２は充電を停止するときに保護ＩＣ１０からオフとされる。
【００２７】
保護ＩＣ１０は、過充電電圧検出回路２１，過放電電圧検出回路２２，充電過電流検出回路２３，放電過電流検出回路２４，短絡検出回路２５、発振器２６，論理回路２７、時短回路２８等を内蔵している。
【００２８】
過充電電圧検出回路２１は端子１０ａ，１０ｂ間の電圧を抵抗Ｒ３，Ｒ４で分圧した分圧電圧を第１基準電圧源２１ａからの第１基準電圧Ｖｄｅｔ１（分圧前の端子１０ａ，１０ｂ間の電圧に変換すると例えば４．３Ｖ程度であり、第３の所定値とも呼ぶ）と比較して、分圧電圧が第１基準電圧より高いときに過充電電圧検出信号を生成して発振器２６，論理回路２７に供給する。
【００２９】
過放電電圧検出回路２２は端子１０ａ，１０ｂ間の電圧を抵抗Ｒ５，Ｒ６で分圧した分圧電圧を第２基準電圧源２２ａからの第２基準電圧Ｖｄｅｔ２（分圧前の端子１０ａ，１０ｂ間の電圧に変換すると例えば２．４Ｖ程度であり、第４の所定値とも呼ぶ）と比較して、分圧電圧が第２基準電圧より低いときに過放電電圧検出信号を生成して発振器２６，論理回路２７に供給する。
【００３０】
充電過電流検出回路２３は端子１０ｃの電圧を第３基準電圧源２３ａからの第４基準電圧Ｖｄｅｔ４（例えば−１００ｍＶ程度であり、第２の所定値とも呼ぶ）と比較して、端子１０ｃ電圧が第４基準電圧より低いときに充電過電流検出信号を生成して発振器２６，論理回路２７に供給する。
【００３１】
放電過電流検出回路２４は端子１０ｃの電圧を第４基準電圧源２３ａからの第３基準電圧Ｖｄｅｔ３（例えば＋１００ｍＶ程度であり、第５の所定値とも呼ぶ）と比較して、端子１０ｃ電圧が第３基準電圧より高いときに放電過電流検出信号を生成して発振器２６，論理回路２７に供給する。
【００３２】
短絡検出回路２５は端子１０ｃの電圧を第５基準電圧源２５ａからの第５基準電圧Ｖｓｈｏｒｔ（例えば＋１．０Ｖ程度）と比較して、端子１０ｃ電圧が第５基準電圧より高いときに短絡検出信号を生成する。短絡検出信号は例えば抵抗とキャパシタの時定数を用いた遅延回路２９を通して論理回路２７に供給される。
【００３３】
発振器２６は、過充電電圧検出信号又は過放電電圧検出信号又は充電過電流検出信号又は放電過電流検出信号を供給されると、発振を開始してクロック信号を生成して論理回路２７に供給する。
【００３４】
図２に時短回路２８の一実施形態の回路構成図を示す。図２において、時短回路２８は比較器２８ａと基準電圧源２８ｂを有している。端子１０ａの電圧ＶＤＤは抵抗Ｒ１１，Ｒ１２で分圧され、得られた分圧電圧は比較器２８ａの非反転入力端子に供給される。比較器２８ａの反転入力端子には基準電圧源２８ｂから第６基準電圧Ｖｄｓ（第１の所定値とも呼ぶ）が供給される。第６基準電圧Ｖｄｓは分圧前の端子１０ａ電圧に変換すると例えば６Ｖ程度の値であり、過充電検出電圧（例えば４．３Ｖ）より高い電圧である。比較器２８ａは端子１０ａの電圧が第６基準電圧Ｖｄｓより高いときに時短検出信号を生成して端子２８ｃから発振器２６，論理回路２７に供給する。
【００３５】
図１に示す論理回路２７はラッチ回路２７ａ，カウンタ２７ｂ，状態レジスタ２７ｃを有している。論理回路２７は時短検出信号が供給される時間をカウンタ２７ｂでカウントし、カウント値が第１所定時間（例えば１ｍｓｅｃ）を超えるとラッチ回路２７ａに時短モードを表す値（例えば１）をラッチする。その後、論理回路２７は過放電電圧検出信号又は充電過電流検出信号又は放電過電流検出信号又は短絡検出信号の所定時間の供給によりラッチ回路２７ａに通常モードを表す値（例えば値０）をラッチする。
【００３６】
また、論理回路２７は過充電電圧検出信号が供給される時間をカウンタ２７ｂでカウントし、カウント値が第２所定時間を超えると、状態レジスタ２７ｃに過充電電圧検出状態を保持し、ＭＯＳトランジスタＭ３，Ｍ４で構成されるインバータを介して端子１０ｅから出力するＣＯＵＴをローレベル（値０）としてＭＯＳトランジスタＭ２をオフし、ＭＯＳトランジスタＭ５，Ｍ６で構成されるインバータを介して端子１０ｄから出力するＤＯＵＴをハイレベル（値１）としてＭＯＳトランジスタＭ１をオンする。
【００３７】
また、論理回路２７は過放電電圧検出信号が供給される時間をカウンタ２７ｂでカウントし、カウント値が第３所定時間を超えると、状態レジスタ２７ｃに過放電電圧検出状態を保持し、端子１０ｅから出力するＣＯＵＴをハイレベルとしてＭＯＳトランジスタＭ２をオンし、端子１０ｄから出力するＤＯＵＴをローレベルとしてＭＯＳトランジスタＭ１をオフする。
【００３８】
また、論理回路２７は充電過電流検出信号が供給される時間をカウンタ２７ｂでカウントし、カウント値が第４所定時間を超えると、状態レジスタ２７ｃに充電過電流検出状態を保持し、端子１０ｅから出力するＣＯＵＴをローレベルとしてＭＯＳトランジスタＭ２をオフし、端子１０ｄから出力するＤＯＵＴをハイレベルとしてＭＯＳトランジスタＭ１をオンする。
【００３９】
また、論理回路２７は放電過電流検出信号が供給される時間をカウンタ２７ｂでカウントし、カウント値が第５所定時間を超えると、状態レジスタ２７ｃに放電過電流検出状態を保持し、端子１０ｅから出力するＣＯＵＴをハイレベルとしてＭＯＳトランジスタＭ２をオンし、端子１０ｄから出力するＤＯＵＴをローレベルとしてＭＯＳトランジスタＭ１をオフする。
【００４０】
また、論理回路２７は短絡検出信号が供給されると、状態レジスタ２７ｃに短絡検出状態を保持し、端子１０ｅから出力するＣＯＵＴをハイレベルとしてＭＯＳトランジスタＭ２をオンし、端子１０ｄから出力するＤＯＵＴをローレベルとしてＭＯＳトランジスタＭ１をオフする。なお、遅延回路２９の遅延時間を第６所定時間とする。上記第１〜第６所定時間はそれぞれ最適値が設定されている。
【００４１】
また、論理回路２７は過放電電圧検出状態でＭＯＳトランジスタＭ７をオンして端子１０ｃのプルアップを行い、放電過電流検出状態、短絡検出状態でＭＯＳトランジスタＭ８をオンして端子１０ｃのプルダウンを行う。
【００４２】
なお、論理回路２７は時短モードにおいて、第１〜第５所定時間それぞれを例えば１／１０以下に短縮する。もしくは第１〜第５所定時間を０としても良い
＜充放電制御回路の状態遷移＞
図３に保護ＩＣ１０の一実施形態における状態遷移図を示す。通常モード状態ＭＤ４ではＭＯＳトランジスタＭ１，Ｍ２のゲートにハイレベルを供給してＭＯＳトランジスタＭ１，Ｍ２を共にオンとする。
【００４３】
通常モード状態ＭＤ４において、電圧ＶＤＤが第６基準電圧Ｖｄｓを超えるイベントＥ１により、時短モード（ＤＳモード）状態ＭＤ２に遷移する。なお、図３におけるＶｄｅｔ１，Ｖｄｅｔ２は、分圧前の端子１０ａ，１０ｂ間の電圧に変換した電圧を表している。時短モードはすなわちテストモードである。
【００４４】
ここで、ＶＤＤ＞Ｖｄｓであることは、ＶＤＤ＞Ｖｄｅｔ１でもあるため、イベントＥ１は第１所定時間で終了し、ＶＤＤ＞Ｖｄｅｔ１が第２所定時間を超えるイベントＥ２ａの発生で時短モードかつ過充電電圧検出状態ＭＤ１となり、その後、ＶＤＤ＜Ｖｄｅｔ１が第２所定時間を超えるイベントＥ２ｂによって時短モード状態ＭＤ２に至り安定する。なお、時短モード状態ＭＤ２は第２〜第５所定時間が短縮するだけでＭＯＳトランジスタＭ１，Ｍ２のゲートにハイレベルを供給している点は通常モード状態ＭＤ４と同様である。
【００４５】
時短モード状態ＭＤ２において、ＶＤＤ＜Ｖｄｅｔ２が第３所定時間を超えるイベントＥ３により、通常モードの過放電電圧検出状態ＭＤ５となる。また、時短モード状態ＭＤ２において、端子１０ｃの電圧Ｖ−がＶ−＞Ｖｓｈｏｒｔとなり、その状態が第６所定時間を超えるイベントＥ４により、通常モードの短絡検出状態ＭＤ８となる。
【００４６】
また、時短モード状態ＭＤ２において、Ｖ−＞Ｖｄｅｔ３が第５所定時間を超えるイベントＥ５により、通常モードの放電過電流検出状態ＭＤ７となる。また、時短モード状態ＭＤ２において、Ｖ−＜Ｖｄｅｔ４が第４所定時間を超えるイベントＥ６により、通常モードの充電過電流検出状態ＭＤ６となる。
【００４７】
更に、時短モードかつ過充電電圧検出状態ＭＤ１において、Ｖ−＜Ｖｄｅｔ４で充電過電流検出信号が発生するイベントＥ７により、通常モードの過充電電圧検出状態ＭＤ３となる。
【００４８】
なお、過充電電圧検出状態ＭＤ３、過放電電圧検出状態ＭＤ５、充電過電流検出状態ＭＤ６、放電過電流検出状態ＭＤ７、短絡検出状態ＭＤ８を保護モードとも呼び、時短モード状態ＭＤ２を時短監視モードとも呼び、時短モードかつ過充電電圧検出状態ＭＤ１を時短過充電電圧検出モードとも呼ぶ。
【００４９】
＜テストの一例＞
（１）通常モード状態ＭＤ４からイベントＥ１により時短モード状態ＭＤ２に遷移し、過放電電圧検出回路２２の機能テストを行う。この機能テストによって、ＶＤＤ＜Ｖｄｅｔ２が第３所定時間を超えるイベントＥ３が発生し、通常モードの過放電電圧検出状態ＭＤ５となる。この後、ＶＤＤ＞Ｖｄｅｔ２が第３所定時間を超えるイベントで通常モード状態ＭＤ４とする。
（２）通常モード状態ＭＤ４からイベントＥ１により時短モード状態ＭＤ２に遷移し、短絡検出回路２５の機能テストを行う。この機能テストによって、Ｖ−＞Ｖｓｈｏｒｔが第６所定時間を超えるイベントＥ４が発生し、通常モードの短絡検出状態ＭＤ８となる。この後、Ｖ−＜Ｖｄｅｔ３が第５所定時間を超えるイベントで通常モード状態ＭＤ４とする。
（３）通常モード状態ＭＤ４からイベントＥ１により時短モード状態ＭＤ２に遷移し、充電過電流検出回路２３の機能テストを行う。この機能テストによって、Ｖ−＜Ｖｄｅｔ４が第４所定時間を超えるイベントＥ６が発生し、通常モードの充電過電流検出状態ＭＤ６となる。この後、Ｖ−＜Ｖｄｅｔ４が第４所定時間を超えるイベントで通常モード状態ＭＤ４とする。
（４）通常モード状態ＭＤ４からイベントＥ１により時短モード状態ＭＤ２に遷移し、放電過電流検出回路２４の機能テストを行う。この機能テストによって、Ｖ−＞Ｖｄｅｔ３が第５所定時間を超えるイベントＥ５が発生し、通常モードの放電過電流検出状態ＭＤ７となる。この後、Ｖ−＜Ｖｄｅｔ３が第５所定時間を超えるイベントで通常モード状態ＭＤ４とする。
（５）通常モード状態ＭＤ４からイベントＥ１により時短モード状態ＭＤ２に遷移し、過充電電圧検出回路２１の機能テストを行う。この機能テストによって、ＶＤＤ＞Ｖｄｅｔ１が第２所定時間を超えるイベントＥ２ａが発生し、時短モードかつ過充電電圧検出状態ＭＤ１となる。この場合は他の機能テストのように通常モードの過充電電圧検出状態ＭＤ３にならない。なぜならば、イベントＥ１により時短モード状態ＭＤ２から時短モードかつ過充電電圧検出状態ＭＤ１を経て時短モード状態ＭＤ２に至り安定する設定としているからである。
したがって、過充電電圧検出回路２１の機能テスト後、Ｖ−＜Ｖｄｅｔ４で充電過電流検出信号が発生するイベントＥ７を発生し、通常モードの過充電電圧検出状態ＭＤ３に遷移させる。この後、ＶＤＤ＞Ｖｄｅｔ１が第２所定時間を超えるイベントで通常モード状態ＭＤ４とする。
【００５０】
このように、１つ１つの機能をテストする度に時短モードから通常モードに遷移するため、出荷前テストですべての機能をテストしなくても、出荷時には必ず通常モードとすることができる。なお、（１）〜（５）の順番はどのように変更しても良い。
【００５１】
＜変形例＞
上記の実施形態では、時短モードは端子１０ａに通常の電源電圧（例えば４．５Ｖ）より高い６Ｖ程度の電圧を短時間供給することで設定しているが、この他に、端子１０ｃにＶｄｅｔ４より低い電圧Ｖｄｓｌ（例えば−２．０Ｖ程度）より低い電圧を供給して時短モードを設定しても良い。この場合、端子１０ｃを時短回路２８に接続して、比較器２８ａでは分圧することなしに非反転入力端子に供給される端子１０ｃの電圧Ｖ−を基準電圧源２８ｂから反転入力端子に供給される第７基準電圧Ｖｄｓｌと比較する。そして、比較器２８ａはＶ−＜Ｖｄｓｌで時短検出信号を生成する。
【００５２】
＜変形例の状態遷移＞
図４に保護ＩＣ１０の変形例における状態遷移図を示す。通常モード状態ＭＤ１４ではＭＯＳトランジスタＭ１，Ｍ２のゲートにハイレベルを供給してＭＯＳトランジスタＭ１，Ｍ２を共にオンとする。通常モード状態ＭＤ１４において、電圧Ｖ−が第６基準電圧Ｖｄｓｌ未満となるイベントＥ１１により、時短モード（ＤＳモード）状態ＭＤ１２に遷移する。
【００５３】
また、Ｖ−＜Ｖｄｓｌであることは、Ｖ−＜Ｖｄｅｔ４でもあるため、イベントＥ１１が終了すると、Ｖ−＜Ｖｄｅｔ４が第４所定時間を超えるイベントＥ１２ａで時短モードかつ充電過電流検出状態ＭＤ１１となり、その後、Ｖ−＞Ｖｄｅｔ４が第４所定時間を超えるイベントＥ１２ｂで時短モード状態ＭＤ１２となる。
【００５４】
時短モード状態ＭＤ１２において、ＶＤＤ＜Ｖｄｅｔ２が第３所定時間を超えるイベントＥ１３により、通常モードの過放電電圧検出状態ＭＤ１５となる。また、時短モード状態ＭＤ１２において、端子１０ｃの電圧Ｖ−がＶ−＞Ｖｓｈｏｒｔとなり、その状態が第６所定時間を超えるイベントＥ１４により、通常モードの短絡検出状態ＭＤ１８となる。
【００５５】
また、時短モード状態ＭＤ１２において、Ｖ−＞Ｖｄｅｔ３が第５所定時間を超えるイベントＥ１５により、通常モードの放電過電流検出状態ＭＤ１７となる。また、時短モード状態ＭＤ１２において、ＶＤＤ＞Ｖｄｅｔ１が第２所定時間を超えるイベントＥ１７により、通常モードの充電過電流検出状態ＭＤ１３となる。
【００５６】
更に、時短モードかつ充電過電流検出状態ＭＤ１１において、ＶＤＤ＞Ｖｄｅｔ１で過充電電圧検出信号が発生するイベントＥ１７により、通常モードの過充電電圧検出状態ＭＤ１３となる。
【００５７】
なお、過充電電圧検出状態ＭＤ１３、過放電電圧検出状態ＭＤ１５、充電過電流検出状態ＭＤ１６、放電過電流検出状態ＭＤ１７、短絡検出状態ＭＤ１８を保護モードとも呼び、時短モード状態ＭＤ１２を時短監視モードとも呼び、時短モードかつ充電過電流検出状態ＭＤ１１を時短充電過電流検出モードとも呼ぶ。
【符号の説明】
【００５８】
１０  保護ＩＣ
１１  電池セル
２１  過充電電圧検出回路
２１ａ，２２ａ，２３ａ，２４ａ，２５ａ，２８ｂ  電圧源
２２  過放電電圧検出回路
２３  充電過電流検出回路
２４  放電過電流検出回路
２５  短絡検出回路
２６  発振器
２７  論理回路
２７ａ  ラッチ回路
２７ｂ  カウンタ
２７ｃ  状態レジスタ
２８  時短回路
２８ａ  比較器
２９  遅延回路
Ｃ１  コンデンサ
Ｍ１〜Ｍ７  ＭＯＳトランジスタ
Ｒ１〜Ｒ１２  抵抗
【図１】
2014171355.tif 000003
【図２】
2014171355.tif 000004
【図３】
2014171355.tif 000005
【図４】
2014171355.tif 000006
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
二次電池の充放電制御を行う充放電制御回路であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部は、
前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過放電、前記過電流のいずれを検出しても前記時短モードから前記保護モードに遷移し、
前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移することを特徴とする充放電制御回路。
【請求項２】
二次電池の充放電制御を行う充放電制御回路であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部は、
前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過放電のいずれを検出しても前記時短モードから前記保護モードに遷移し、
前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移することを特徴とする充放電制御回路。
【請求項３】
二次電池の充放電制御を行う充放電制御回路の充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過放電、前記過電流のいずれを検出しても前記時短モードから前記保護モードに遷移し、
前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移することを特徴とする充放電制御方法。
【請求項４】
二次電池の充放電制御を行う充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過放電のいずれを検出しても前記時短モードから前記保護モードに遷移し、
前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移することを特徴とする充放電制御方法。
【手続補正２】
【補正対象書類名】明細書
【補正対象項目名】００１１
【補正方法】変更
【補正の内容】
【００１１】
本発明の一実施態様による充放電制御回路は、二次電池（１１）の充放電制御を行う充放電制御回路であって、
前記充放電制御回路は、
前記二次電池から電源を供給されるＶＤＤ端子（１０ａ）と、
前記二次電池の過電流を検出するための過電流検出端子（１０ｃ）と、
過充電、過放電、過電流の検出のための所定の遅延時間を設定した異常検出部（２１〜２５）と、
複数の動作モードを制御するモード制御部（２７）とを有し、
前記モード制御部は、
前記ＶＤＤ端子と前記過電流検出端子の電圧を監視する通常モード（ＭＤ４）と、前記異常検出部における前記過充電、前記過放電、前記過電流の検出のための所定の遅延時間を短縮した時短モード（ＭＤ１，ＭＤ２）と、前記通常モードで前記異常検出部による異常検出時に充電電流又は放電電流を停止させる信号を出力する保護モード（ＭＤ３，ＭＤ５，ＭＤ６，ＭＤ７，ＭＤ８）とを管理し、
前記ＶＤＤ端子の電圧が第１の所定値を超えたときに前記通常モードから前記時短モードに遷移し、
前記過放電、前記過電流のいずれを検出しても前記時短モードから前記保護モードに遷移し、
前記保護モードは、前記所定の遅延時間で過充電を検出した過充電保護モード（ＭＤ３）を有し、
前記時短モードは、前記ＶＤＤ端子と前記過電流検出端子の電圧を監視する時短監視モード（ＭＤ２）と、前記過充電を検出したときに前記充電電流を停止させる信号を出力する時短過充電保護モード（ＭＤ１）を有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明の他の一実施態様による充放電制御回路は、二次電池（１１）の充放電制御を行う充放電制御回路であって、
前記充放電制御回路は、
前記二次電池から電源を供給されるＶＤＤ端子（１０ａ）と、
前記二次電池の過電流を検出するための過電流検出端子（１０ｃ）と、
過充電、過放電、過電流の検出のための所定の遅延時間を設定した異常検出部（２１〜２５）と、
複数の動作モードを制御するモード制御部（２７）とを有し、
前記モード制御部は、
前記ＶＤＤ端子と前記過電流検出端子の電圧を監視する通常モード（ＭＤ１４）と、前記異常検出部における前記過充電、前記過放電、前記過電流の検出のための所定の遅延時間を短縮した時短モード（ＭＤ１１，ＭＤ１２）と、前記通常モードで前記異常検出部による異常検出時に充電電流又は放電電流を停止させる信号を出力する保護モード（ＭＤ１３，ＭＤ１５，ＭＤ１６，ＭＤ１７，ＭＤ１８）とを管理し、
前記過電流検出端子の電圧が第３の所定値未満のときに前記通常モード（ＭＤ１４）から前記時短モードに遷移し、
前記過充電、前記過放電のいずれを検出しても前記時短モードから前記保護モードに遷移し、
前記保護モードは、前記所定の遅延時間で充電過電流を検出した充電過電流保護モード（ＭＤ１６）を有し、
前記時短モードは、前記ＶＤＤ端子と前記過電流検出端子の電圧を監視する時短監視モード（ＭＤ１２）と、前記充電過電流を検出したときに前記充電電流を停止させる信号を出力する時短充電過電流保護モード（ＭＤ１１）を有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移する。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明の一実施態様による充放電制御方法は、二次電池の充放電制御を行う充放電制御回路の充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記ＶＤＤ端子の電圧が第１の所定値を超えたときに前記通常モードから前記時短モードに遷移し、
前記過放電、前記過電流のいずれを検出しても前記時短モードから前記保護モードに遷移し、
前記保護モードは、前記所定の遅延時間で過充電を検出した過充電保護モードを有し、
前記時短モードは、前記ＶＤＤ端子と前記過電流検出端子の電圧を監視する時短監視モードと、前記過充電を検出したときに前記充電電流を停止させる信号を出力する時短過充電保護モードを有し、
前記時短監視モードで前記過充電の検出により前記時短過充電保護モードに遷移し、前記過充電の検出解除により前記時短監視モードに遷移し、更に、前記時短過充電保護モードで前記過電流検出端子の電圧が第２の所定電圧より低いときに前記過充電保護モードに遷移する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明の他の一実施態様による充放電制御方法は、二次電池の充放電制御を行う充放電制御方法であって、
前記充放電制御回路は、
前記二次電池から電源を供給されるＶＤＤ端子と、
前記二次電池の過電流を検出するための過電流検出端子と、
過充電、過放電、過電流の検出のための所定の遅延時間を設定した異常検出部と、
複数の動作モードを制御するモード制御部とを有し、
前記モード制御部にて、前記ＶＤＤ端子と前記過電流検出端子の電圧を監視する通常モードと、前記異常検出部における前記過充電、前記過放電、前記過電流の検出のための所定の遅延時間を短縮した時短モードと、前記通常モードで前記異常検出部による異常検出時に充電電流又は放電電流を停止させる信号を出力する保護モードとを管理し、
前記過電流検出端子の電圧が第３の所定値未満のときに前記通常モードから前記時短モードに遷移し、
前記過充電、前記過放電のいずれを検出しても前記時短モードから前記保護モードに遷移し、
前記保護モードは、前記所定の遅延時間で充電過電流を検出した充電過電流保護モードを有し、
前記時短モードは、前記ＶＤＤ端子と前記過電流検出端子の電圧を監視する時短監視モードと、前記充電過電流を検出したときに前記充電電流を停止させる信号を出力する時短充電過電流保護モードを有し、
前記時短監視モードで前記充電過電流の検出により前記時短充電過電流保護モードに遷移し、前記充電過電流の検出解除により前記時短監視モードに遷移し、更に、前記時短充電過電流保護モードで前記ＶＤＤ端子の電圧が第４の所定電圧を超えたときに前記充電過電流保護モードに遷移する。
【手続補正９】
【補正対象書類名】明細書
【補正対象項目名】００１８
【補正方法】削除
【補正の内容】